(57)【要約】【課題】本発明の課題は、種々のパターンを取りうる受信信号に対応した信号からそのパターンにより正確に対応した再生データ信号を生成することのできる再生データ信号生成装置を提供することである。【解決手段】かかる課題は、無線受信系における受信信号に基づいた信号を入力信号とし、それぞれ異なる手法にて該入力信号のオフセット変動に対する補償を行いつつ当該入力信号を二値化して二値化信号を出力する複数の信号二値化ユニット（１１０、１２０）と、該複数の信号二値化ユニット（１１０、１２０）からの二値化信号のいずれかから調製した再生データ信号を所定の制御情報に基づいて選択的に出力する信号調製出力ユニット（１５０）とを有する再生データ信号生成装置にて達成される。【選択図】　　図１
2004023250.tif 000002
【特許請求の範囲】
【請求項１】
無線受信系における受信信号に基づいた信号を入力信号とし、それぞれ異なる手法にて該入力信号のオフセット変動に対する補償を行いつつ当該入力信号を二値化して二値化信号を出力する複数の信号二値化ユニットと、
該複数の信号二値化ユニットからの二値化信号のいずれかから調製した再生データ信号を所定の制御情報に基づいて選択的に出力する信号調製出力ユニットとを有する再生データ信号生成装置。
【請求項２】
請求項１記載の再生データ信号生成装置において、
上記信号調製出力ユニットは、上記複数の信号二値化ユニットからの二値化信号から再生データ信号を調製する複数の信号調製部と、
各信号調製部にて調製された再生データ信号のいずれかを上記所定の制御情報に基づいて選択して出力するスイッチ部とを有する再生データ信号生成装置。
【請求項３】
請求項２記載の再生データ信号生成装置において、
上記複数の信号調製部のそれぞれは、調製される再生データ信号の位相を外部からの情報に基づいて調整するタイミング調整部を有する再生データ信号生成装置。
【請求項４】
請求項１記載の再生データ信号生成装置において、
受信信号がデータ本体部と該データ本体部の前に位置するプリアンブル部とを備えた単位ごとに構成され、
上記信号調製出力ユニットは、プリアンブル部とデータ本体部とで異なる信号二値化ユニットからの二値化信号から調整された再生データ信号を出力するようにした再生データ信号生成装置。
【請求項５】
請求項２または３記載の再生データ信号生成装置において、
受信信号がデータ本体部と該データ本体部の前に位置するプリアンブル部とを供えた単位ごとに構成され、
上記データ本体部に対応した信号部分を検出して所定の検出信号を出力するデータ本体部検出手段を有し、
上記信号調製出力ユニットのスイッチ部は、スイッチ部は、上記各単位の先頭にて外部から供給される第１の制御情報に基づいて第１の信号二値化ユニットからの二値化信号から再生データ信号を調整する信号調製部からの当該再生データ信号を選択して出力し、上記データ本体部検出手段から出力される所定の検出信号に対応した第２の制御情報に基づいて第２の信号二値化ユニットからの二値化信号から再生データ信号を調製する信号調製部からの当該再生データ信号を選択して出力するようにした再生データ信号生成装置。
【請求項６】
請求項５記載の再生データ信号生成装置において、
上記スイッチ部は、上記データ本体部の予め定められた位置にて外部から供給される第３の制御情報に基づいて第３の信号二値化ユニットからの二値化信号から再生データ信号を調製する信号調製部からの当該再生データ信号を選択して出力するようにした再生データ信号生成装置。
【発明の詳細な説明】
【０００１】
【発明の属する技術分野】
本発明は、無線受信装置に用いられる再生データ信号生成装置に関し、詳しくは、受信信号に基づいた信号を所定の直流レベルを用いて二値化（スライス）し、その二値化された信号に基づいて再生データ信号を生成するようにした再生データ信号生成装置に適用し得る。
【０００２】
【従来の技術】
無線通信システムにおける受信装置では、受信信号を復調して得られる検波信号（復調信号）を所定の基準レベルで二値化（スライス）して再生データ信号を生成している。上記検波信号の直流電位は種々の理由により変動し得る。例えば、ＦＳＫ（Ｆｒｅｑｕｅｎｃｙ　Ｓｈｉｆｔ　Ｋｅｙｉｎｇ：周波数偏移変調）信号を受信する無線受信装置では、その受信信号から復調される信号（検波信号）は、ＦＳＫ信号における信号周波数と予め規定された搬送波周波数との差などの影響により、その直流電位が変動（オフセット変動）しうる。従って、上記再生データ信号の生成の過程では、正確な再生データ信号を得るために、上記検波信号に生ずるオフセット変動を補償する必要がある。
【０００３】
従来、上記のような検波信号のオフセット変動を補償する手法として種々の手法が提案されている。例えば、ＵＳＰ６，１０４，２３８に開示される復調装置では、検波信号を平滑化してその中心周波数を変化させることで検波回路出力の直流電位変動を抑制している。
【０００４】
また、ＵＳＰ５，４１２，６９２に開示されるデータスライサ装置では、検波出力信号から検出される最大レベルと最小レベルの中間電位が検出され、その中間電位レベルを基準レベルとして当該検波出力信号の二値化（スライス）がなされる。これにより、検波信号の二値化に用いられる基準レベル（中間電位レベル）が検波出力信号の変動に追従するようになり、結果としてその検波出力信号のオフセット変動が補償される。
【０００５】
【発明が解決しようとする課題】
ところで、無線通信システムでは、伝送信号の単位（例えば、１フレーム）は、一般に、データ本体部とその前に付加されたプリアンブル部とを有する。プリアンブル部は無線通信システムごとに所定のパターンに決められる。また、データ本体部は実際に伝送すべきデータに対応した部分であり、そのパターンは伝送すべきデータに依存する。このため、データ本体部は、ローレベルビットやハイレベルビットが連続するパターン（同符号連続パターン）を含み得る。そして、無線通信システムでは、誤りなく復調することを保証する同符合連続パターンのパターン長（同符号連続耐量）が規定される。
【０００６】
上記プリアンブル部のパターンは上述したように無線通信システムごとに決められるが、情報の伝送効率の観点から本来のデータを含まないプリアンブル部のパターン長はできるだけ短いことが好ましい。再生データ信号の生成の過程でそのような短いパターン長のプリアンブル部にて直流電位のオフセット補償を行う場合、その補償動作はその信号の直流電位変動に高速に追従させる必要がある。
【０００７】
また、無線受信装置は上記のような単位（フレーム）構成の伝送信号をバースト的に受信する場合がある。例えば、ある種の無線通信システム（移動通信システム）の無線機（基地局、移動局）では、送信状態と受信状態がと時分割されており（ＴＤＤ：Ｔｉｍｅ　Ｄｉｖｉｓｉｏｎ　Ｄｕｐｌｅｘ）、更に、送信状態と受信状態が連続して切替わる場合以外にも、その切替えの間に休止状態（電源電圧は送受信部に印加された状態であるが送信状態でも受信状態でもない状態）を有する場合がある。このような場合、無線機が受信状態に切替わった時点で、伝送信号が当該無線機にバースト的に到来し、その際の検波信号の直流電位は動的に変化する。
【０００８】
このように休止状態から受信状態に切替わった場合では、上記のように直流電位が動的に変化する検波信号が急激に立ち上がるので、その検波信号のプリアンブル部での直流電位変動の補償動作には特に高速性が要求される。
【０００９】
一方、データ本体部は本来のデータに対応した部分であることから、再生データを生成する過程では、無線通信システムにて規定された同符号連続耐量を満足すること、ノイズの影響を受けにくく動作が安定していることが重要である。これらの性質は、一般に上述した高速直流電位補償の動作と相反する。従って、同符号連続耐量を満足するとともにノイズの影響を受けにくく安定した動作を保証する再生データ生成装置では、プリアンブル部での直流電位補償動作の高速性が犠牲になってしまう。
【００１０】
例えば、上述したＵＳＰ６，１０４，２３８に開示される装置では、直流電位補償に要する時間は、検波出力信号を平滑化するための時間と、チャネル選択フィルタや検波回路の絶対遅延時間との総和となり、高次なフィルタを適用した回路では高速な直流電位補償が難しい。また、上述したＵＳＰ５，４１２，６９２に開示されるデータスライサ装置では、高速な直流電位補償を実現するには、検波出力信号の最大レベル及び最小レベル検出用の積分回路の時定数を小さくする必要があるが、その場合、同符号連続耐量が劣化してしまう。従って、無線通信システムで規定された同符号連続耐量を満足する状態が確保され得る範囲内でしか、その積分回路の時定数を小さくすることができない。
【００１１】
そのため、種々のパターンを取りうる受信信号に対応した信号からそのパターンにより正確に対応した再生データ信号を生成することのできる再生データ信号生成装置が求められている。
【００１２】
【発明が解決しようとする課題】
【００１３】
【課題を解決するための手段】
かかる課題を解決するため、本発明は、請求項１に記載されるように、無線受信系における受信信号に基づいた信号を入力信号とし、それぞれ異なる手法にて該入力信号のオフセット変動に対する補償を行いつつ当該入力信号を二値化して二値化信号を出力する複数の信号二値化ユニットと、該複数の信号二値化ユニットからの二値化信号のいずれかから調製した再生データ信号を所定の制御情報に基づいて選択的に出力する信号調製出力ユニットとを有するように構成される。
【００１４】
このような再生データ信号生成装置では、受信信号に対応した信号を複数の信号二値化ユニットのそれぞれが異なる手法にてその信号のオフセット変動に対する補償を行いつつ当該信号を二値化して二値化信号を出力する。そして、信号調製出力ユニットが、上記複数の信号二値化ユニットから出力される複数の二値化信号のいずれかから調整した再生データ信号を所定の制御情報に基づいて選択的に出力する。
【００１５】
適当な制御情報を用いることにより、上記受信信号に対応した複数の部分に対してそれぞれ異なる手法にてオフセット変動に対する補償を行いつつなされた二値化により得られる複数種の二値化信号から調製された再生データ信号を生成することができる。
【００１６】
本発明は、請求項２に記載されるように、上記再生データ信号生成装置において、上記信号調製出力ユニットは、上記複数の信号二値化ユニットからの二値化信号から再生データ信号を調製する複数の信号調製部と、各信号調製部にて調製された再生データ信号のいずれかを上記所定の制御情報に基づいて選択して出力するスイッチ部とを有するように構成することができる。
【００１７】
このような再生データ信号生成装置では、上記複数の信号二値化ユニットからの複数の二値化信号から並列的に複数の再生データ信号が調製される。そして、その複数の再生データ信号のいずれかが制御情報に基づいたタイミングにて選択される。
【００１８】
また、本発明は、請求項３に記載されるように、上記再生データ信号生成装置において、上記複数の信号調製部のそれぞれは、調製される再生データ信号の位相を外部からの情報に基づいて調整するタイミング調整部を有するように構成することができる。
【００１９】
このような再生データ信号生成装置では、外部からの情報に基づいて再生データ信号の切替え時の前後で最終的に出力される再生データ信号の位相ずれがないようにすることができる。
【００２０】
本発明は、請求項４に記載されるように、上記再生データ信号生成装置において、受信信号がデータ本体部と該データ本体部の前に位置するプリアンブル部とを備えた単位ごとに構成され、上記信号調製出力ユニットは、プリアンブル部とデータ本体部とで異なる信号二値化ユニットからの二値化信号から調整された再生データ信号を出力するように構成することができる。
【００２１】
このような再生データ信号生成装置では、プリアンブル部とデータ本体部に対してそれぞれ異なる手法にてオフセット変動に対する補償を行いつつなされた二値化により得られる２種類の二値化信号から調製された再生データ信号を生成することができる。その結果、プリアンブル部及びデータ本体部のそれぞれのパターンにより正確に対応した再生データ信号を得ることができる。
【００２２】
また、本発明は、請求項５に記載されるように、上記再生データ信号生成装置において、受信信号がデータ本体部と該データ本体部の前に位置するプリアンブル部とを供えた単位ごとに構成され、上記データ本体部に対応した信号部分を検出して所定の検出信号を出力するデータ本体部検出手段を有し、上記信号調製出力ユニットのスイッチ部は、スイッチ部は、上記各単位の先頭にて外部から供給される第一の制御情報に基づいて第１の信号二値化ユニットからの二値化信号から再生データ信号を調整する信号調製部からの当該再生データ信号を選択して出力し、上記データ本体部検出手段から出力される所定の検出信号に対応した第２の制御情報に基づいて第２の信号二値化ユニットからの二値化信号から再生データ信号を調製する信号調製部からの当該再生データ信号を選択して出力するように構成することができる。
【００２３】
このような再生データ信号生成装置では、上記スイッチ部の動作により、プリアンブル部とデータ本体部に対してそれぞれ異なる手法にてオフセット変動に対する補償を行いつつなされた二値化により得られる二種類の二値化信号から調製された再生データ信号を生成することができる。
【００２４】
本発明は、更に、請求項６に記載されるように、上記再生データ信号生成装置において、上記スイッチ部は、上記データ本体部の予め定められた位置にて外部から供給される第３の制御情報に基づいて第３の信号二値化ユニットからの二値化信号から再生データ信号を調製する信号調製部からの当該再生データ信号を選択して出力するように構成することができる。
【００２５】
このような再生データ信号生成装置では、スイッチ部の動作により、更にデータ本体部について、その予め定めた位置の前後の部分に対してそれぞれ異なる手法にてオフセット変動に対する補償を行いつつなされた二値化により得られる二種類の二値化信号から調製された再生データ信号を生成することができる。その結果、データ本体部の上記予め定めた位置の前後でパターンが変化する場合であっても、そのデータ本体部のそれぞれのパターンにより正確に対応した再生データ信号を得ることができる。
【００２６】
【発明の実施の形態】
以下、本発明の実施の形態を図面に基づいて説明する。
【００２７】
本発明の第一の実施の形態に係る再生データ信号生成装置を含む無線受信系は図１に示すように構成される。
【００２８】
図１において、この無線受信系は、受信回路１０、復調回路１２及び再生データ信号生成回路１００を有する。受信回路１０は、伝送すべきデータに対応した変調信号を受信して受信信号を出力する。復調回路１２は、受信信号を変調アルゴリズムに対応した復調アルゴリズムに従って復調して復調信号（検波信号）を出力する。
【００２９】
上記再生データ信号生成回路１００は、第１のスライサ（二値化回路）１１０、第２のスライサ（二値化回路）１２０及び信号調製出力回路１５０を有し、上記復調回路１２からの復調信号を入力信号として該入力信号から伝送データに対応した二値の再生データ信号を生成する。上記第１のスライサ１１０及び第二のスライサ１２０は、それぞれ異なる手法に従って上記入力信号のオフセット変動に対する補償を行いつつ、該入力信号を二値化する。
【００３０】
信号調製出力回路１５０は、上記第１のスライサ１１０及び第２のスライサ１２０から出力される２つの二値化信号（スライサ出力１、２）のいずれかから調製した再生データ信号を所定の制御信号に基づいて選択的に出力する。この信号調整出力回路１５０からの再生データ信号は、例えば、後段のデジタル処理回路（図示略）に供給され、そのデジタル処理回路にて再生データに変換される。
【００３１】
上記第一のスライサ１１０及び第二のスライサ１２０として採用しうるスライサは、例えば、図２乃至図４に示される。
【００３２】
図２に示されるスライサは、所謂微分型データスライサであり、バッファ５１、ＤＣバイアス回路５２、５３、差動バッファ５４及びコンパレータ５５を有している。差動バッファ５４の一方の入力端子には、ＤＣバイアス回路５２からの直流電位が基準電位として入力され、他方の入力端子には、ＤＣバイアス回路５３からの直流電位にバッファ５１及びコンデンサＣを介した入力信号レベルが重畳した電位が入力する。そして、差動バッファ５４は各入力電位の差に対応した差動電圧を出力し、該差動電圧がコンパレータ５５に入力される。
【００３３】
このような構成のスライサでは、入力信号の立ち上がり時にその変化に対応して差動バッファ５４からの差動電圧が例えば正となり、それに応答してコンパレータ５５の出力がハイレベルとなる。一方、入力信号の立下り時にその変化に対応して差動バッファ５４からの差動電圧が例えば負となり、それに応答してコンパレータ５５の出力がローレベルとなる。これにより、入力信号にオフセット変動が含まれていても、その入力信号の立ち上がり及び立下りに対応した二値（ハイレベル及びローレベル）の信号（パルス信号）が出力信号として得られる。即ち、このスライサは、当該オフセット変動に対する補償を行いつつ入力信号を二値化する。
【００３４】
図３に示されるスライサは、所謂ピーク・ボトムホールド型データスライサである。このスライサは、バッファ６１、６２、６３、差動バッファ６４及びコンパレータ６５を有すると共に、抵抗Ｒ１及びコンデンサＣ１で構成される第１の積分回路と、抵抗Ｒ２及びコンデンサＣ２で構成される第２の積分回路を有している。
【００３５】
バッファ６１と第１の積分回路（Ｒ１、Ｃ１）との間には、ダイオードＤ１がその順方向と該バッファ６１から第２の積分回路（Ｒ１、Ｃ１）に向かう方向とが一致するように接続される。また、バッファ６２と第２の積分回路（Ｒ２、Ｃ２）との間には、ダイオードＤ２がその順方向と第２の積分回路（Ｒ２、Ｃ２）からバッファ６２に向かう方向とが一致するように接続される。第１の積分回路（Ｒ１、Ｃ１）と第２の積分回路（Ｒ２、Ｃ２）との間に２つの抵抗Ｒ３、Ｒ４が接続されている。第１の積分回路（Ｒ１、Ｃ１）におけるコンデンサＣ１の蓄積電位と第２の積分回路（Ｒ２、Ｃ２）におけるコンデンサＣ２の蓄積電位との差電圧が抵抗Ｒ３及びＲ４によって分圧され、その分圧電位が差動バッファ６４の一方の入力端子に基準電位として入力される。また、差動バッファ６４の他方の入力端子にはバッファ６３を介して入力信号電位が入力される。
【００３６】
差動バッファ６４は、図２に示すスライサと同様に、各入力電位の差に対応した差動電圧を出力し、該差動電圧がコンパレータ５５に入力される。
【００３７】
このような構成のスライサでは、第１の積分回路（Ｒ１、Ｃ１）及び第２の積分回路（Ｒ２、Ｃ２）の回路定数を適当な充放電特性が得られるように設定することにより、入力信号が並列的に３つのバッファ６１、６２、６３に順次入力する過程で、第１の積分回路におけるコンデンサＣ１に入力信号のピーク値が順次保持され、第２の積分回路におけるコンデンサＣ２に入力信号のボトム値が順次保持される。
【００３８】
また、抵抗Ｒ３の値と抵抗Ｒ４の値を同じに設定することにより、上記入力信号のピーク値とボトム値の中間電位が基準電位として差動バッファ６４の入力端子に常時入力される。入力信号電位が当該入力信号のピーク値とボトム値との中間電位以上になると差動バッファ６４からの差動電圧が例えば正となり、それに応答してコンパレータ５５の出力がハイレベルとなる。一方、入力信号電位が当該入力信号のピーク値とボトム値との中間電位より小さくなると差動バッファ６４からの差動電圧が例えば負となり、それに応答してコンパレータ５５の出力がローレベルとなる。これにより、上記入力信号にオフセット変動が含まれていても、基準電位となる入力信号のピーク値とボトム値との中間電位がそのオフセット変動に追従することから、入力信号の直流オフセット変動に対する補償がなされつつ当該入力信号の二値化がなされる。
【００３９】
図４に示されるスライサは、所謂積分型データスライサである。このスライサは、バッファ７２、７３、差動バッファ７４及びコンパレータ７５を有すると共に、抵抗Ｒ及びコンデンサＣで構成される積分回路を有している。積分回路（Ｒ、Ｃ）はバッファ７３を介して供給される入力信号を平滑化し、その入力信号の平均電位がコンデンサＣに蓄積される。差動バッファ７４の一方の入力端子には、積分回路（Ｒ、Ｃ）のコンデンサＣに蓄積された上記入力信号の平均電位が基準電位として入力され、他方の入力端子には、バッファ７２を介して入力信号そのものの電位が入力される。
【００４０】
差動バッファ７４は、図２及び図３に示す各スライサと同様に、各入力電位の差に対応した差動電圧を出力し、該差動電圧がコンパレータ５５に入力される。
【００４１】
このような構成のスライサでは、入力信号電位がその入力信号の平均電位以上になると差動バッファ７４からの差動電圧が例えば正となり、それに応答してコンパレータ５５の出力がハイレベルとなる。一方、入力信号電位がその入力信号の平均電位より小さくなると差動バッファ７４からの差動電圧が例えば負となり、それに応答してコンパレータ５５の出力がローレベルとなる。これにより、上記入力信号にオフセット変動が含まれていても、基準電位となるその入力信号の平均電位がそのオフセット変動に追従することから、入力信号の直流オフセット変動に対する補償がなされつつ当該入力信号の二値化がなされる。
【００４２】
上述したそれぞれ異なった手法により入力信号のオフセット変動に対する補償を行いつつその入力信号の二値化を行う３つのスライサの特徴は以下の通りである。
【００４３】
まず、図２に示す所謂微分型データスライサは、３つのスライサのなかで最も高速に入力信号のオフセット変動に対する補償が可能であるが、同符号連続耐量が非常に小さい。図３に示す所謂ピーク・ボトムホールド型データスライサは、高速に入力信号のオフセット変動に対する補償が可能であると共に、同符号連続耐量も比較的大きいが、ノイズの影響を受けやすく動作の安定性に劣る。
【００４４】
更に、図４に示す所謂積分型データスライサは、同符号連続耐量を大きくすることが可能であると共に動作が安定しておりノイズの影響を受けにくく、更に、回路を構成する素子のばらつきの影響を受けにくい。しかし、このタイプのデータスライサは、入力信号のオフセット変動に対する補償動作の高速性に劣る。
【００４５】
図１に示す第１のスライサ１１０として、上述した３つのタイプのスライサのうち、図２に示す所謂微分型データスライサまたは図３に示す所謂ピーク・ボトムホールド型データスライサが用いられる。また、図１に示す第２のスライサ１２０として、図４に示す所謂積分型データスライサが用いられる。
【００４６】
図１に示す信号調製出力回路１５０は、例えば、図５に示すように構成される（第１の例）。
【００４７】
図５において、この信号調製出力回路１５０は、第１の調製回路２０、第２の調製回路３０、シンク検出回路１４及び切替えスイッチ１８を有している。第１の調製回路２０は、クロック再生回路２１、データ再生回路２２及びタイミング調整回路２３を有し、第２の調製回路３０も同様にクロック生成回路３１、データ再生回路３２及びタイミング調整回路３３を有する。
【００４８】
第１の調製回路２０において、クロック再生回路２１及びデータ再生回路２２は、第１のスライサ１１０（図１参照）から位相が不安定な状態で供給される二値化信号（スライサ出力１）から所定のクロックに同期した二値化信号となる再生データ信号を調製する。上記クロック生成回路２１は、例えばＰＬＬで構成され、スライサ出力１（二値化信号）から安定したクロック成分を抽出し、そのクロック成分に対応したクロック信号を出力する。データ再生回路２３は、クロック再生回路２１からのクロック信号に基づいてスライサ出力１のリタイミングを行って当該クロック信号に同期した二値化信号となる再生データ信号を生成する。
【００４９】
タイミング調整回路２３は、遅延回路で構成され、データ再生回路２２からの再生データ信号を所定タイミングだけ遅延させて、再生データ信号１として切替えスイッチ１８に供給する。
【００５０】
第２の調製回路３０においても、上記第１の調製回路２０と同様に、クロック再生回路３１及びデータ再生回路３２により第２のスライサ１２０（図１参照）から供給される二値化信号（スライサ出力２）から所定のクロックに同期した二値化信号となる再生データ信号が調製される。そして、その再生データ信号がタイミング調整回路３３により所定タイミングだけ遅延されて、再生データ信号２として切替えスイッチ１８に供給される。
【００５１】
第１の調製回路２０におけるタイミング調整回路２３での遅延量（時間）と、第２の調製回路３０におけるタイミング調整回路３３での遅延量は、第１のスライサ１１０からのスライサ出力１と第２のスライサ１２０からのスライサ出力２との位相差分を補って再生データ信号１及び再生データ信号２の切替えスイッチ１８の入力部での位相が同じになるように、予め設定される。
【００５２】
シンク検出回路１４は、伝送信号に含まれるデータ本体部（データパケット列）の先頭部分に位置する同期ビット列（Ｓｙｎｃ．）を検出したときにシンク検出信号を出力する。このシンク検出信号は、後段のデジタル処理回路（図示略）にデータ検出の同期信号として供給されると共に、切替えスイッチ１８に切替え信号として供給される。
【００５３】
切替えスイッチ１８は、当該無線受信系の制御ユニット（図示略）からのリセット信号と上記シンク検出回路１４からの切替え信号（シンク検出信号）とを制御信号として入力する。そして、切替えスイッチ１８は、その制御信号（リセット信号、切替え信号（シンク検出信号））の入力状態に基づいて、上記第１の調製回路２０からの再生データ信号１及び上記第２の調製回路３０からの生成データ信号２のいずれかを選択的に出力する。
【００５４】
上記のような無線受信系における受信動作において、初期状態では、制御ユニットからリセット信号が切替えスイッチ１８に供給される。切替えスイッチ１８はそのリセット信号に応答して第１の調製回路２０からの再生データ信号１を最終的な再生データ信号として出力する。即ち、第１のスライサ１１０からの二値化信号（スライサ出力１）から調製された再生データ信号１が最終的な再生データ信号として信号調製出力回路１５０から出力される。
【００５５】
受信動作の初期状態では、受信回路１０はデータ本体部の前に付加された所定パターンのプリアンブル部を受信している。従って、このプリアンブル部を受信している過程では、最終的な再生データ信号は、入力信号のオフセット変動に対する補償動作を高速に行い得る所謂微分型データスライサ（図２参照）またはピーク・ボトムホールド型データスライサとなる第１のスライサ１１０からの二値化信号（スライス出力１）から調製されたものとなる。
【００５６】
このように、プリアンブル部を受信する過程では、第１のスライサ１１０において復調信号のオフセット変動に対する補償が高速になされつつ当該復調信号が二値化されて得られたスライス出力１から最終的な再生データ信号が調製されるので、その最終的な再生データ信号は、そのプリアンブル部のパターンにより正確に対応したもとのとなる。
【００５７】
上記のような受信動作の過程で、受信回路１０にて上記プリアンブル部に続くデータ本体部の受信が開始され、シンク検出回路１４がデータ本体部の先頭に位置する同期ビット列（Ｓｙｎｃ．）を検出すると、そのシンク検出回路１４からシンク検出信号が切替え信号として切替えスイッチ１８に供給される。切替えスイッチ１８は、その切替え信号に応答して出力すべき最終的な再生データ信号を上記再生データ信号１から第２の調製回路３０からの再生データ信号２に切替える。即ち、この切替えにより、第２のスライサ１２０からの二値化信号（スライサ出力２）から調製された再生データ信号が最終的な再生データ信号として信号調製出力回路１５０から出力される。
【００５８】
第１の調製回路２０及び第２の調製回路３０のそれぞれにおけるタイミング調整回路２３及び３３による遅延動作により、上記再生データ信号１と再生データ信号２とが同位相にて切替えスイッチ１８の入力部に供給されている。従って、上記のように最終的な再生データ信号が第１の調製回路２０からの再生データ信号１から第２の調製回路３０からの再生データ信号２に切替えられても、その切替えの前後において最終的な再生データの位相変動は発生しない。
【００５９】
上記のようにプリアンブル部に続くデータ本体部（データパケット列）を受信している過程では、最終的な再生データ信号は、同符号連続耐量が大きく、ノイズの影響が受けにくく動作の安定性に優れ、かつ、素子のばらつきにも影響されにくい所謂積分型データスライサとなる第２のスライサ１２０からの二値化信号（スライサ出力２）から調製されたものとなる。このようにデータ本体部を受信する過程では、第２のスライサ１１０において復調信号が安定的に二値化されて得られたスライス出力２から最終的な再生データ信号が調製されるので、その最終的な再生データ信号は、データ本体部に含まれる各パケットのビット列により正確に対応したものとなる。
【００６０】
データ本体部の最終パケットについての処理が終了すると、制御ユニットはリセット信号を切替えスイッチ１８に供給する。切替えスイッチ１８は、上述した初期状態の場合と同様に、このリセット信号に応答して出力すべき最終的な再生データ信号を上記第２の調製回路３０からの再生データ信号２から第１の調製回路２０からの再生データ信号１に切替える。その結果、伝送信号の次の単位（フレーム）のプリアンブル部については、上述した初期状態の場合と同様に、第１のスライサ１１０からの二値化信号（スライサ出力１）から調製された再生データ信号１が最終的な再生データ信号として信号調製回路１５０から出力される。
【００６１】
このようにして、プリアンブル部とデータ本体部が交互に配列された伝送信号を受信する過程で、そのプリアンブル部については、入力信号のオフセット変動に対する補償動作を高速に行いうる第一のスライサ１１０からの二値化信号（スライサ出力１）から調製された再生データ信号１が、そのデータ本体部については、安定な二値化動作を行う第２のスライサ１２０からの二値化信号（スライサ出力２）から調製された再生データ信号２が、それぞれ最終的な再生データ信号として当該再生データ生成回路１００から出力される。従って、プリアンブル部及びデータ本体部の双方において常に伝送信号のデータパターン（ビット列）により正確に対応した再生データ信号を得ることができるようになる。
【００６２】
（第２の例）
図６は、信号調製出力回路１５０の第２の例を示したものである。
【００６３】
この例に係る信号調製出力回路１５０では、２つの再生データ信号１、２の位相ズレを補正できるようになっている。なお、図６では、図５に示す部分と同様の部分に対して同じ参照番号が付されており、その詳細な説明は省略する。
【００６４】
図６に示す信号調製出力回路１５０は、第２の調製回路３０からの再生データ信号２からデータ本体部の先頭部分に位置する同期ビット列（Ｓｙｎｃ．）を検出したときにシンク検出信号２を出力するシンク検出器１５を備えている。また、シンク検出回路１４は、第１の調製回路２０からの再生データ信号１からデータ本体部の先頭部分に位置する同期ビット列（Ｓｙｎｃ．）を検出したときにシンク検出信号１を出力する。第１の調製回路２０におけるタイミング調整回路２３はその遅延量を制御ユニットからの調整信号１により変えることができるようになると共に、第２の調製回路３０におけるタイミング調整回路３３はその遅延量を制御ユニットからの調整信号２により変えることができるようになっている。
【００６５】
上記のような構成の信号調製出力回路１５０を用いた場合、制御ユニットはシンク検出回路１４からのシンク検出信号１とシンク検出回路１５からのシンク検出信号２とを入力する。そして、制御ユニットはそのシンク検出信号１とシンク検出信号２の入力タイミングが同じになるように調整信号１及び調整信号２により第１の調製回路２０におけるタイミング調整回路２３での遅延量と第２の調製回路３０におけるタイミング調整回路３３での遅延量を制御する。
【００６６】
このような構成により、第１の調製回路２０から出力される再生データ信号１及び第２の調製回路３０から出力される再生データ信号２の位相を個別に調整することができ、その再生データ信号１と再生データ信号２の位相ズレを補正することができるようになる。
【００６７】
（第３の例）
図７は、本発明の第３の例に係る再生データ信号生成装置を含む無線受信系を示したものである。
【００６８】
図７において、この無線受信系は、図１に示すものと同様に、受信回路１０、復調回路１２及び再生データ信号生成回路１００を有している。図１に示す例では、再生データ信号生成回路１００は２つのスライサ（第１のスライサ１１０及び第２のスライサ１２０）を有していたが、この例に係る再生データ信号生成回路１００は、信号調製出力回路１６０と共に、第１のスライサ１１０、第２のスライサ１２０及び第３のスライサ１３０の３つのスライサを有する。
【００６９】
第１のスライサ１１０として、例えば、図２に示す所謂微分型データスライサが用いられ、第２のスライサ１２０として、例えば、図３に示すピーク・ボトムホールド型データスライサが用いられる。また、第３のスライサ１３０として、例えば、図４に示す積分型データスライサが用いられる。信号調製出力回路１６０は、上記第１のスライサ１１０、第２のスライサ１２０及び第３のスライサ１３０から出力される３つの二値化信号（スライサ出力１、２、３）のいずれかから調製された再生データ信号を所定の制御信号に基づいて選択的に出力する。
【００７０】
信号調製出力回路１６０は、例えば、図８に示すように構成される。
【００７１】
図８において、この信号調製出力回路１６０は、上記第１のスライサ１１０からの二値化信号（スライサ出力１）から再生データ信号１を調製して出力する第一の調製回路２０、上記第２のスライサ１２０からの二値化信号（スライサ出力２）から再生データ信号２を調製して出力する第２の調製回路３０及び上記第３のスライサ１３０からの二値化信号（スライサ出力３）から再生データ信号３を調製して出力する第３の調製回路４０を有している。また、この信号調製出力回路１６０は、上記第１の調製回路２０、第２の調製回路３０及び第３の調製回路４０からの再生データ信号１、２、３のいずれかを最終的な再生データ信号として選択して出力する切り替えスイッチ１９を有している。
【００７２】
上記第１の調製回路２０、第２の調製回路３０及び第３の調製回路４０は、前述した例（図５、図６参照）と同様に、クロック再生回路２１、３１、４１、データ再生回路２２、３２、４２及びタイミング調整回路２３、３３、４３を有し、位相の不安定な状態の二値化信号（スライサ出力）から所定のクロックに同期する二値化信号となる再生データ信号１、２、３を調製する。
【００７３】
更に、上記信号調製出力回路１６０は、第１の調製回路２０におけるデータ再生回路２２からの再生データ信号内の同期ビット列（Ｓｙｎｃ．）を検出してシンク検出信号１を出力するシンク検出回路１４、第２の調製回路３０におけるデータ再生回路３２からの再生データ信号内の同期ビット列（Ｓｙｎｃ．）を検出してシンク検出信号２を出力するシンク検出回路１５及び第３の調製回路４０におけるデータ再生回路４２からの再生データ信号内の同期ビット列（Ｓｙｎｃ．）を検出してシンク検出信号３を出力するシンク検出回路１６を有する。制御ユニット（図示略）は、各シンク検出回路１４、１５、１６からのシンク検出信号の出力タイミング応じた調整信号１、２、３によって各調製回路２０、３０、４０におけるタイミング調整回路２３、３３、４３での遅延量を制御して、各調整回路２０、３０、４０からの再生データ信号１、２、３が同じ位相で切替えスイッチ１９の入力部に提供されるようにしている。
【００７４】
切替えスイッチ１９は、シンク検出回路１４からのシンク検出信号１となる切替え信号１、制御ユニットからのリセット信号及び切替え信号２を制御信号として入力し、その制御信号の入力状態に応じて再生データ信号１、再生データ信号２及び再生データ信号３のいずれかを選択的に出力する。
【００７５】
上述したような構成の再生データ信号生成回路１００は次のように動作する。
【００７６】
まず、受信動作の初期状態及び伝送信号の伝送単位（例えば、フレーム）についての受信処理終了時において、制御ユニットからリセット信号が切替えスイッチ１９に供給されると、切替えスイッチ１９は、第１の調製回路２０からの再生データ信号１を最終的な再生データ信号として出力する。この場合、伝送信号の伝送単位（例えば、フレーム）の先頭部分に位置するプリアンブル部を受信する過程で、第１のスライサ１１０（微分型データスライサ：図２参照）において復調信号のオフセット変動に対する補償が高速になされつつ当該復調信号が二値化されて得られたスライス出力１から最終的な再生データ信号（再生データ信号１）が調製される。このため、その最終的な再生データ信号は、そのプリアンブル部のパターンにより正確に対応したものとなる。
【００７７】
受信動作の過程で、上記プリアンブル部に続くデータ本体部の受信が開始され、シンク検出回路１４が同期ビット列（Ｓｙｎｃ．）を検出してシンク検出信号１を出力すると、そのシンク検出信号１を切替え信号１として入力した切替えスイッチ１９は、出力すべき最終的な再生データ信号を第１の調製回路２０からの再生データ信号１から第２の調整回路３０からの再生データ信号２に切替える。第１の調製回路２０のタイミング調整回路２３及び第２の調製回路３０のタイミング調整回路３３での遅延量の制御により上記切替え前後における位相変動が生ずることなく、それ以後、第２の調製回路３０からの再生データ信号２が最終的な再生データ信号として出力される。
【００７８】
この場合、伝送信号のデータ本体部を受信する過程で、同符号連続耐量に優れたピーク・ボトムホールド型データスライサ（図３参照）となる第２のスライサ１２０からの二値化信号（スライサ出力２）から最終的な再生データ信号（再生データ信号２）が調製される。このため、そのデータ本体部の先頭部分に同符号となる連続するビット列が配置されても、その最終的な再生データ信号はそのビット列により正確に対応したものとなる。
【００７９】
所定のパケット数分の受信処理が終了すると、制御ユニットは切替え信号２を切替えスイッチ１９に供給する。この切替え信号２を制御信号として入力した切替えスイッチ１９は、出力すべき最終的な再生データ信号を第２の調製回路３０からの再生データ信号２から第３の調整回路４０からの再生データ信号３に切替える。第２の調製回路３０のタイミング調整回路３３及び第３の調製回路４０のタイミング回路４３での遅延量の制御により上記切替え前後における位相変動が生ずることなく、それ以後、第３の調製回路４０からの再生データ信号３が最終的な再生データ信号として出力される。
【００８０】
この場合、伝送信号のデータ本体部を受信する過程で、ノイズの影響を受け難く動作の安定性に優れた積分型データスライサとなる第３のスライサ１３０からの二値化信号（スライサ出力３）から最終的な再生データ信号（再生データ信号３）が調製される。このため、最終的な再生データ信号は、データ本体部の先頭部分以降に含まれる各パケットのビット列により正確に対応したものとなる。
【００８１】
このようにして、プリアンブル部とデータ本体部が交互に配列された伝送信号を受信する過程で、そのプリアンブル部については、入力信号のオフセット変動に対する補償動作を高速に行い得る第１のスライサ１１０からの二値化信号（スライサ出力１）から調製された再生データ信号が、そのデータ本体部の先頭部分については、同符号連続耐量の優れた第２のスライサ１２０からの二値化信号（スライサ出力２）から調製された再生データ信号２が、更に、そのデータ本体部の先頭部分以外の部分については、安定な二値化動作を行う第３のスライサ１３０からの二値化信号（スライサ出力３）から調製された再生データ信号３が、それぞれ最終的な再生データ信号として当該再生データ生成回路１００から出力される。従って、特に、データ本体部の先頭部分に同符号の連続ビット列が配置されるような無線通信規格に従った受信動作においても、プリアンブル部及びデータ本体部の双方において常に伝送信号のデータパターン（ビット列）により正確に対応した再生データ信号を得ることができるようになる。
【００８２】
なお、上記各例における信号調製出力回路１５０、１６０は、各スライサ１１０、１２０、１３０に対応した調製回路２０、３０、４０を有していたが、１つの調製回路を複数のスライサにて時分割で利用するようにすることも可能である。この場合、切替えスイッチ１８（１９）は、その調製回路に入力すべきスライサ出力を切替えることになる。
【００８３】
上記例では、スライサとして３つタイプについて説明したが、他のタイプのスライサを用いることもできる。また、信号調製出力回路１５０、１６０は、３つ以上のスライサ出力のいずれかから調製された再生データ信号を選択的に出力するように構成することも可能である。
【００８４】
【発明の効果】
以上、説明したように、本発明によれば、受信信号に対応した複数の部分に対してそれぞれ異なる手法にてオフセット変動に対する補償を行いつつなされた二値化により得られる複数種の二値化信号から調製された再生データ信号を生成することができるので、種々のパターンを取りうる受信信号に対応した信号からそのパターンにより正確に対応した再生データ信号を生成することができるようになる。
【図面の簡単な説明】
【図１】本発明の第１の実施の形態に係る再生データ信号生成装置を含む無線受信系の構成例を示すブロック図である。
【図２】入力信号のオフセット変動に対する補償機能を有した二値化回路（スライサ）の第１の例を示す図である。
【図３】入力信号のオフセット変動に対する補償機能を有した二値化回路（スライサ）の第２の例を示す図である。
【図４】入力信号のオフセット変動に対する補償機能を有した二値化回路（スライサ）の第３の例を示す図である。
【図５】図１に示す無線受信系における再生データ信号生成回路の第１の構成例を示すブロック図である。
【図６】図１に示す無線受信系における再生データ信号生成回路の第２の構成例を示すブロック図である。
【図７】本発明の第２の実施の形態に係る再生データ信号生成装置を含む受信系の構成例を示す図である。
【図８】図７に示す無線受信系における再生データ信号生成回路の構成例を示すブロック図である。
【符号の説明】
１０　受信回路
１２　復調回路
１４、１５、１６　シンク検出回路
２０　第１の調製回路
３０　第２の調製回路
４０　第３の調製回路
２１、３１、４１　クロック再生回路
２２、３２、４１　データ再生回路
２３、３３、４３　タイミング調整回路
１８、１９　切替えスイッチ
１００　再生データ信号生成回路
１１０　第１のスライサ
１２０　第２のスライサ
１３０　第３のスライサ
１５０、１６０　信号調製出力回路
【図１】
2004023250.tif 000003
【図２】
2004023250.tif 000004
【図３】
2004023250.tif 000005
【図４】
2004023250.tif 000006
【図５】
2004023250.tif 000007
【図６】
2004023250.tif 000008
【図７】
2004023250.tif 000009
【図８】
2004023250.tif 000010